(57)【要約】  【課題】  イオン交換膜の使用量を低減すると共に、装置からの水漏れのない電気式脱イオン水製造装置を提供すること。  【解決手段】交互に配設される複数枚の陽イオン交換膜６と陰イオン交換膜９の間に、窓状の開口４１、５１を有する枠体４、５を介在させて濃縮室と脱塩室を交互に積層して形成される電気式脱イオン水製造装置１０において、窓状の開口の包囲部４７、５７に被処理水、脱塩水及び濃縮水が流れる連通孔４２、４３、４４をそれぞれ形成し、イオン交換膜６、９の外縁の寸法を枠体４、５の外縁の寸法より小さく且つ連通孔４２、４３、４４を回避する大きさとし、イオン交換膜６、９の外側にフィルム状膜包囲スペーサー７を配設する。【選択図】        図２
2006218382.tif 000002
【特許請求の範囲】
【請求項１】
交互に配設される複数枚のイオン交換膜の間に、窓状の開口を有する枠体を介在させて濃縮室と脱塩室を交互に積層して形成される電気式脱イオン水製造装置において、該窓状の開口の包囲部に被処理水、脱塩水及び濃縮水が流れる連通孔をそれぞれ形成し、該イオン交換膜の外縁の寸法を該枠体の外縁の寸法より小さく且つ該連通孔を回避する大きさとし、該イオン交換膜の外側にフィルム状膜包囲スペーサーを配設することを特徴とする電気式脱イオン水製造装置。
【請求項２】
前記イオン交換膜は、矩形状であることを特徴とする請求項１記載の電気式脱イオン水製造装置。
【請求項３】
前記膜包囲スペーサーは、前記イオン交換膜と同じ厚みか又は組み付けにより該イオン交換膜と同じ厚みになるものであることを特徴とする請求項１又は２記載の電気式脱イオン水製造装置。
【請求項４】
前記膜包囲スペーサーは、ポリエチレンフィルムであることを特徴とする請求項１〜３のいずれか１項記載の電気式脱イオン水製造装置。
【請求項５】
前記膜包囲スペーサーは、外縁の寸法が該枠体の外縁の寸法と略同じか又はそれ以上であり、内縁の寸法が該イオン交換膜の外縁の寸法と同じであることを特徴とする請求項１〜４のいずれか１項記載の電気式脱イオン水製造装置。
【請求項６】
前記脱塩室を形成する枠体は、窓状の開口を有する第１小枠体と、窓状の開口を有する第２小枠体と、第１小枠体と第２小枠体の間に配設される中間イオン交換膜を積層して形成されたものであることを特徴とする請求項１〜５のいずれか１項記載の電気式脱イオン水製造装置。
【請求項７】
前記中間イオン交換膜の外縁の寸法を該第１小枠体と第２小枠体の外縁の寸法より小さく且つ該連通孔を回避する大きさとし、該中間イオン交換膜の外側にフィルム状膜包囲スペーサーを配設することを特徴とする請求項６記載の電気式脱イオン水製造装置。
【請求項８】
前記脱塩室及び前記濃縮室のうち、少なくとも脱塩室には、イオン交換体を充填したものであることを特徴とする請求項１〜７のいずれか１項記載の電気式脱イオン水製造装置。
【発明の詳細な説明】
【技術分野】
【０００１】
本発明は、半導体製造分野、医薬製薬製造分野、原子力や火力等の発電分野、食品工業等の各種の産業または研究施設で脱イオン水を製造するために使用されるイオン交換膜の使用量を低減した低コスト型の電気式脱イオン水製造装置に関するものである。
【背景技術】
【０００２】
従来、電気式脱イオン水製造装置は、陽極と陰極の間に同じ大きさの陽イオン交換膜および陰イオン交換膜を交互に配列し、その２枚のイオン交換膜の間に、窓状の開口と、窓状の開口の包囲部に配設される被処理水連通孔と、脱塩水連通孔と、濃縮水連通孔を有する、イオン交換膜と同じ大きさの脱塩室用枠体と濃縮室用枠体を交互に積層し、脱塩室用枠体の開口部にイオン交換体を充填することで脱塩室とし、濃縮室用枠体の開口部を濃縮室とすることで形成されている（例えば、特開２００１−１１３２８号公報）。
【０００３】
このような電気式脱イオン水製造装置は次のように運転される。すなわち、先ず陽極と陰極との間に直流電源を印加し、被処理水を上記枠体に設けられた被処理水連通孔を通して脱塩室と濃縮室へと通水する。脱塩室に供給された水は室内に充填されたイオン交換体と接触して不純物イオンが除去され脱イオン水となる。脱塩室で除去された不純物イオンは、印加されている電流により、陽極ならびに陰極方向にイオン交換膜を透過し移動し、濃縮室の水の流れにより濃縮室から濃縮水連通孔を通して濃縮水として系外へ排出される。脱塩室で精製された脱イオン水についても同様に、脱塩室から脱塩水連通管を通って系外へと流出する。
【特許文献１】特開２００１−１１３２８号公報
【発明の開示】
【発明が解決しようとする課題】
【０００４】
しかしながら、従来の電気式脱イオン水製造装置は、イオン交換膜を枠体に貼付又は接着する場合、イオン交換膜は膜劣化を防ぎ、寸法安定性を高めるため水を含んだ状態で貼付又は接着されることから、接着が不十分となり、締め付け後であっても、一方の連通孔から他方の連通孔へと水が流れるような漏れが生じるという問題がある。また、多数の脱塩室及び濃縮室を積層することで形成されているため、枠体やイオン交換膜を多用し、装置作製にかかる材料費が嵩むという問題がある。これら材料費の中でも、イオン交換膜は非常に高価であり、且つ多くの量を使用するため、通常電気式脱イオン水製造装置の製造コストの４０〜５０％もの割合を占めている。また、材料費低減のため膜の面積を使用する枠体よりも小さくすると、枠体を積層した際にそれぞれの枠体間に隙間が生じてしまうことで、装置外への水漏れにつながり、電流リークの危険性があるとともに、水漏れ個所に硬度成分が析出することで装置の破損の原因となる等の問題がある。特に装置が大型になると、枠体断面積が大きくなったり、積層数が増えることで枠体間に生じる隙間も大きくなり、装置外への水漏れが一層起こり易くなる。
【０００５】
従って、本発明の目的は、枠体に形成された連通管間における漏れをなくし、イオン交換膜の使用量を低減すると共に、装置からの水漏れのない電気式脱イオン水製造装置を提供することにある。
【課題を解決するための手段】
【０００６】
かかる実状において、本発明者らは鋭意検討を行った結果、電気式脱イオン水製造装置の脱塩室用枠体及び濃縮室用枠体の窓状の開口の包囲部に被処理水、脱塩水及び濃縮水が流れる連通孔をそれぞれ形成し、該イオン交換膜の外縁の寸法を該枠体の外縁の寸法より小さく且つ該連通孔を回避する大きさとし、該イオン交換膜の外側にフィルム状膜包囲スペーサーを配設すれば、枠体に形成された連通管間における漏れを防止でき、イオン交換膜の使用量を低減できると共に、装置からの水漏れのないことを見出し、本発明を完成するに至った。
【０００７】
すなわち、本発明は、交互に配設される複数枚のイオン交換膜の間に、窓状の開口を有する枠体を介在させて濃縮室と脱塩室を交互に積層して形成される電気式脱イオン水製造装置において、該窓状の開口の包囲部に被処理水、脱塩水及び濃縮水が流れる連通孔をそれぞれ形成し、該イオン交換膜の外縁の寸法を該枠体の外縁の寸法より小さく且つ該連通孔を回避する大きさとし、該イオン交換膜の外側にフィルム状膜包囲スペーサーを配設することを特徴とする電気式脱イオン水製造装置を提供するものである。
【０００８】
また、本発明は、前記イオン交換膜は、矩形状であることを特徴とする前記電気式脱イオン水製造装置を提供し、また、本発明は、前記膜包囲スペーサーは、前記イオン交換膜と同じ厚みか又は組み付けにより該イオン交換膜と同じ厚みになるものである前記電気式脱イオン水製造装置を提供し、また、本発明は、前記膜包囲スペーサーは、ポリエチレンフィルムである前記電気式脱イオン水製造装置を提供し、また、本発明は、前記膜包囲スペーサーは、外縁の寸法が該枠体の外縁の寸法と略同じか又はそれ以上であり、内縁の寸法が該イオン交換膜の外縁の寸法と同じであることを特徴とする前記電気式脱イオン水製造装置を提供し、また、本発明は、前記脱塩室を形成する枠体は、窓状の開口を有する第１小枠体と、窓状の開口を有する第２小枠体と、第１小枠体と第２小枠体の間に配設される中間イオン交換膜を積層して形成されたものである前記電気式脱イオン水製造装置を提供し、また、本発明は、前記中間イオン交換膜の外縁の寸法を該第１小枠体と第２小枠体の外縁の寸法より小さく且つ該連通孔を回避する大きさとし、該中間イオン交換膜の外側にフィルム状膜包囲スペーサーを配設する前記電気式脱イオン水製造装置を提供し、また、本発明は、前記脱塩室及び前記濃縮室のうち、少なくとも脱塩室には、イオン交換体を充填したものである前記電気式脱イオン水製造装置を提供するものである。
【発明の効果】
【０００９】
本発明によれば、連通孔周りは水を含まない、乾燥状態のフィルムを貼付又は接着できるため、貼付作業及び接着作業が行い易く、且つ締め付けによりフィルムのシール性が高まり、一方の連通孔から他方の連通孔へと水が流れるような漏れは無く、処理水の水質を高めることができる。また、イオン交換膜の使用量を低減すると共に、装置からの水漏れによる電流のリークや、硬度成分の析出による装置の破損を防ぐことができる。イオン交換膜の膜包囲部にフィルム状物を設置することで、積層した脱塩室及び濃縮室からの水漏れを効果的に防止できる理由は、イオン交換膜の面積を枠体よりも小さくすることで生じる枠体間の隙間に、フィルム状物が配設され、当該隙間を効果的に塞ぐためである。また、膜包囲スペーサーとしてポリエチレンフィルムを使用すれば、イオン交換膜よりやや硬めで且つ締め付け力に対して適度の弾力を示すため、増し締めを行った際に生じるゆがみも小さく抑えることが出来る。また、本発明で使用するイオン交換膜は、面積比率で従来のイオン交換膜の３０％以上削減できるため、例えばイオン交換膜とポリエチレンフィルムを使用した場合、電気式脱イオン水製造装置の製造コストは、概ね従来の装置と比較して１２％以上削減できる。また、枠体は既存のものがそのまま使用できるため、新たな形状の金型を製造する必要もなく製造コストを押し上げることはない。また、枠体間に介在させる部材はイオン交換膜と膜包囲スペーサーの２つの部材であるものの、組立ては簡易であり製作時間を延長させることもない。
【発明を実施するための最良の形態】
【００１０】
次に、本発明の第１の実施の形態における電気式脱イオン水製造装置について図１〜図３を参照して説明する。図１は本例の電気式脱イオン水製造装置の一部を省略した簡略側面図、図２は本例の電気式脱イオン水製造装置の一部の分解斜視図、図３は本例の電気式脱イオン水製造装置の模式図である。なお、図３中、構成部材は電極方向において離間しているが、これは各部材及びその設置位置を明確にするためであり、締め付け後、電極方向における各部材は相互に密着状態にある。また、脱塩室は２つとして簡略化した。
【００１１】
電気式脱イオン水製造装置１０は、交互に配設される複数枚の陽イオン交換膜６と陰イオン交換膜９の間に、窓状の開口４１、５１を有する枠体４、５を交互に介在させて濃縮室５１１と脱塩室４１１を交互に積層して形成される。窓状の開口４１と両側のイオン交換膜６、９で形成される脱塩室４１１にはイオン交換体が充填される。なお、必要により窓状の開口５１と両側のイオン交換膜６、９で形成される濃縮室５１１にもイオン交換体を充填してもよい。充填されるイオン交換体としては、特に制限されず、アニオン交換体単床、カチオン交換体単床およびアニオン交換体とカチオン交換体の混床又はこれらの組み合わせのものが挙げられる。また、イオン交換体としては、イオン交換樹脂、イオン交換繊維、モノリス状多孔質イオン交換体などイオン交換機能があればいずれでもよく、また、これらを組み合わせたものであってもよいが、このうち、イオン交換樹脂が、最も汎用的でありイオン交換膜のしわ等が発生しても膜との隙間が生じにくい点で好ましい。
【００１２】
脱塩室４１１を形成する枠体４と濃縮室５１１を形成する枠体５は、陰極１と陽極２の間に配置され、陰極１及び陽極２の外側に位置する押さえ板３、３を、ボルト孔に通した不図示のボルトにより締め付けることにより固定される。押さえ板３、３を締め付けるボルトの位置としては、特に制限されないが、両面の押さえ板３、３からの締め付け圧が均等にかかるように配置することが好ましい。本例では枠体外にボルトが通るよう押さえ板の４辺の縁部近傍において、等ピッチで２０箇所にボルト孔（不図示）を配設している。
【００１３】
脱塩室４１１を形成する枠体４は、更に窓状の開口４１の包囲部４７に被処理水連通孔４２、脱塩水連通孔４３及び濃縮水連通孔４４、４４が形成されている。被処理水連通孔４２、脱塩水連通孔４３及び濃縮水連通孔４４、４４の配設位置としては、窓状の開口４１の包囲部４７であれば特に制限されないが、本例のように枠体４の四隅とすることが、枠体４の強度を低下させることがない点で好ましい。枠体４には、更に被処理水連通孔４２と脱塩室４１１を連通させる水の第１流路４５と、脱塩水連通孔４３と脱塩室４１１を連通させる第２流路４６が形成されている。第１流路４５と第２流路４６は枠体４の厚みより小さい深さに切り欠かれたものであり、本例では一方の対角線上（図１中、左側下りの線上）にある。なお、通常、第１流路４５と第２流路４６の脱塩室４１１側にはスリット部材やメッシュ部材を付設して、イオン交換体が脱塩室４１１から流出することを防止している。
【００１４】
脱塩室４１１を形成する枠体４は、必要に応じて、窓状の開口部４１に格子を設け、強度を増すとともにイオン交換体の充填が均一に行えるようにしてもよい。また、枠体４の形状や厚さは特に制限されず、充填されるイオン交換体の充填方法、装置を使用する場所、脱イオンの目的、被処理水の種類等により適宜決定される。また、枠体４の材質は、導電性を持たず十分な強度を有するものであれば特に制限されず、例えばＰＶＣ、ノリル、ＡＢＳ等のプラスティク材が挙げられる。本発明で用いる枠体４は既存の電気式脱イオン水製造装置に使用されているものをそのまま使用することができる。
【００１５】
濃縮室５１１を形成する枠体５において、脱塩室４１１を形成する枠体４と同一構成要素についてはその説明を省略し、異なる点について説明する。すなわち、枠体５において、枠体４と異なる点は、一方の濃縮水連通孔５４と濃縮室５１１を連通させる水の第３流路５５と、他方の濃縮水連通孔（図２では不図示）と濃縮室５１１を連通させる第４流路（図２では不図示）を、枠体５の他の対角線上（図１中、右側下りの線上）に形成した点にある。濃縮水連通孔５４、５４の中、一方は濃縮室へ供給される水が流入する孔であり、他方は濃縮水が流出する孔である。濃縮室へ供給される水としては、特に制限されず、被処理水であっても、純水であってもよい。また、枠体５の厚みとしては、特に制限されないが、通常脱塩室４１１を形成する枠体４より小さい。また、図中、枠体５の外縁の寸法は枠体４の外縁の寸法と同じである。濃縮室５１１はイオン交換体充填又は未充填のいずれであってもよいが、図３に示すようにメッシュ状物８を配置すると、濃縮水に乱流が生じてスケールの析出を防止することができる。
【００１６】
枠体４、５の両面に付設するイオン交換膜６、９は、イオン交換膜６、９の外形が窓状の開口４１、５１より大きく、枠体４、５の外形より小さく且つ４つの連通孔を回避する大きさである。４つの連通孔を回避するとは、イオン交換膜６、９を所定の位置に配設した際、４つの連通孔の一部又は全部を塞ぐことない意味である。イオン交換膜の形状としては、特に制限されず、矩形状物、矩形状物の４つの角が丸みを帯びたもの及び不定形状物が挙げられ、このうち、矩形状物がロール状に巻かれた長尺物から所定寸法のイオン交換膜の複数枚を効率的に切り出すことができる点で好ましい。また、イオン交換膜として、矩形状物を用いた場合、図２のような長手方向と短手方向がある場合、少なくとも長手方向においては、長手方向に対向する連通孔の内側縁ａの内側に配置される大きさであり、枠体が正四角形及び略正四角形の場合、いずれの方向においても、連通孔の内側縁ａの内側に配置される大きさであることが好ましい。また、矩形状イオン交換膜の糊代としては、特に制限されないが、１０〜３０ｍｍ、好ましくは１５〜２５ｍｍである。
【００１７】
イオン交換膜としては、特に制限されず、均質膜、不均質膜などが挙げられる。具体的には、本例で用いる陽イオン交換膜６、陰イオン交換膜９の単一膜の他、アニオン交換膜又はカチオン交換膜の複式膜、バイポーラ膜、モザイク膜などが挙げられる。イオン交換膜の枠体への貼付方法としては、特に制限されず、両面テープによる接着方法、接着剤による直接接着方法等が挙げられ、このうち、両面テープによる接着方法が、簡易な方法で且つ接着部分の厚みを制御できる点で好ましい。
【００１８】
イオン交換膜６、９の外側に配設されるフィルム状膜包囲スペーサー７としては、特に制限されず、イオン交換膜６、９と同じ厚みか又はイオン交換膜６、９の厚みよりも多少薄め、具体的には１０％程度薄めに設定し、最終的に押さえ板３、３で両面から押し付けた際、イオン交換膜６、９と同じ厚さになるものが、水漏れを確実に防止することができる点で好ましい。フィルム状膜包囲スペーサーの厚みとしては、概ね０．２〜０．５ｍｍ程度で且つ使用されるイオン交換膜の厚みにより決定される。フィルム状膜包囲スペーサー７には、更に被処理水連通孔４２、脱塩水連通孔４３及び濃縮水連通孔４４、４４に対向する位置に、同様の被処理水連通孔７２、脱塩水連通孔７３及び濃縮水連通孔７４、７４が付設されている。また、膜包囲スペーサー７は、外縁の寸法が枠体４、５の外縁の寸法と略同じであり、内縁の寸法がイオン交換膜６、９の外縁の寸法と同じであれば、窓状の開口４１、５１の包囲部４７、５７における面に沿った方向において隙間ができない点で好ましい。なお、フィルム状はシート状や薄膜などを含む意味である。
【００１９】
フィルム状膜包囲スペーサー７の具体例としては、ポリエチレン（ＰＥ）フィルム軟質、ポリエチレン（ＰＥ）フィルム硬質、ポリエチレンテレフタレート（ＰＥＴ）フィルム及びポリエチレンナフタレート（ＰＥＮ）フィルム等のポリエステルフィルム、ポリアミドフィルム、ポリプロピレン（ＰＰ）フィルム、ＰＴＦＥフィルム、ＦＥＰフィルム、ＰＦＡフィルム、ポリカーボネート（ＰＣ）フィルム、ポリエーテルイミド（ＰＥＩ）フィルム、ポリアセテート（ＰＯＭ）フィルム等が挙げられる。このうち、ポリエチレン（ＰＥ）フィルム軟質、ポリエチレン（ＰＥ）フィルム硬質、ポリエチレンテレフタレート（ＰＥＴ）フィルム及びポリエチレンナフタレート（ＰＥＮ）フィルム等のポリエステルフィルム、ポリアミドフィルム、ポリプロピレン（ＰＰ）フィルムが好ましく、特にポリエチレンフィルムが、シール部材として好適な硬度を有し、且つ０．２〜０．５ｍｍ程度のものを安価に入手できる点で好ましい。
【００２０】
なお、本発明の電気式脱イオン水製造装置において、イオン交換膜及び該イオン交換膜の外側のフィルム状膜包囲スペーサーの設置場所としては、該電気式脱イオン水製造装置を構成するイオン交換膜を使用する部位の中、一部であっても、全部であってもよいが、イオン交換膜使用部位の全部とすることが、本発明の効果が顕著に表れる点で好ましい。
【００２１】
次に、第２の実施の形態における電気式脱イオン水製造装置を図４を参照して説明する。図４の装置において、図３の装置と同一構成要素には同一符号を付して、その説明を省略し、異なる点について主に説明する。すなわち、第２の実施の形態例の電気式脱イオン水製造装置１０ａにおいて、第１の実施の形態例の電気式脱イオン水製造装置１０と異なる点は、脱塩室の構造である。すなわち、本例の電気式脱イオン水製造装置１０ａの脱塩室を形成する枠体４ａは、窓状の開口を有する第１小枠体４１ａと、窓状の開口を有する第２小枠体４２ａと、第１小枠体４１ａと第２小枠体４２ａの間に配設される中間イオン交換膜４３ａを積層して形成されるものである。このような電気式脱イオン水製造装置１０ａの脱塩室構造は特開２００１−２３９２７０号公報に開示されたものである。
【００２２】
第１小枠体４１ａと第２小枠体４２ａの間に中間イオン交換膜４３ａを配設する形態は、従来のものと同様であり、第１小枠体４１ａと第２小枠体４２ａの外形と同じ寸法の中間イオン交換膜４３ａを例えば両面テープで貼付するものである。電気式脱イオン水製造装置１０ａにおいて、被処理水は先ず、第１小枠体４１ａに流入し、第１小枠体４１ａの流出水が、第２小枠体４２ａに流入し、第２小枠体４２ａの流出水を脱イオン水として得る。中間イオン交換膜４３ａとしては、特に制限されず、例えば第１小枠体４１ａの脱塩室にアニオン交換体を充填し、第２小枠体４２ａにアニオン交換体とカチオン交換体の混合イオン交換体を充填する場合、アニオン交換膜が使用される。なお、図４中、中間イオン交換膜４３ａは、第１小枠体４１ａ及び第２小枠体４２ａの外縁の寸法と同じものであるが、これに限定されず、前述のように、中間イオン交換膜４３ａの外縁の寸法を、第１小枠体４１ａ及び第２小枠体４２ａの外縁の寸法より小さく且つ連通孔を回避する大きさとし、該中間イオン交換膜の外側にフィルム状膜包囲スペーサーを配設するようにしてもよい。この場合、電気式脱イオン水製造装置１０ａにおいては、中間イオン交換膜４３ａの面積は、脱塩室４ａの両側に配設されるイオン交換膜と同様に削減できるためコストダウンが図れ、且つ水漏れを防止することができる。
【００２３】
本例の電気式脱イオン水製造装置１０によれば、イオン交換膜６、９の使用量を従来の全面がイオン交換膜のものと比べて、面積比率で３０％以上まで低減できる。例えば膜包囲スペーサーとして、ポリエチレンフィルムを使用した場合、電気式脱イオン水製造装置の製造コストは、概ね従来の装置と比較して１２％以上削減できる。また、枠体４、５は既存のものがそのまま使用できるため、新たな形状の金型を製造する必要もなく製造コストを押し上げることはない。また、枠体間４、５に介在させる部材はイオン交換膜６と膜包囲スペーサー７の２つの部材であるものの、組立ては簡易であり製作時間を延長させることもない。また、イオン交換膜６、９の面積を枠体４、５よりも小さくすることで生じる枠体４、５間の隙間に、フィルム状の膜包囲スペーサーが配設され、当該隙間を効果的に塞ぎ水漏れを防ぐ。また、膜包囲スペーサーとしてポリエチレンフィルムを使用すれば、イオン交換膜よりやや硬めで且つ締め付け力に対して適度の弾力を示すため、増し締めを行った際に生じるゆがみも小さく抑えることができる。
【００２４】
また、イオン交換膜を両面テープ等により、連通孔を塞ぐように貼付又は接着する場合、イオン交換膜は膜劣化を防ぎ、寸法安定性を高めるため水を含んだ状態で接着されることから、接着が不十分となり、締め付け後であっても、一方の連通孔から他方の連通孔へと水が流れるような漏れが生じることがある。これに対して、本発明は、連通孔周りは水を含まない、乾燥状態のフィルムを貼付できるため、貼付作業及び接着作業が行い易く、且つ締め付けによりフィルムのシール性が高まり、一方の連通孔から他方の連通孔へと水が流れるような漏れは無く、処理水の水質を高めることができる。
【００２５】
次に、実施例を挙げて、本発明を更に具体的に説明するが、これは単に例示であって、本発明を制限するものではない。
【実施例１】
【００２６】
下記仕様及び図１〜図３及び図５に示される構造の電気式脱イオン水製造装置を作製し、下記運転条件により半年間の運転を行った。評価は、運転中の水漏れの有無と適宜の運転時間における処理水の水質で判定した。その結果、安定して比抵抗値が１５ＭΩｃｍ以上の脱イオン水が得られることを確認すると共に、連続運転中、積層した枠体間などからの水漏れも起こらないことを確認した。
【００２７】
・脱塩室用枠体；外縁の寸法は縦７３０×横６１０×厚み８ｍｍであり、窓状形状は縦５２０×横５００×厚み８ｍｍである。なお、縦は図１における方向を言い、以下同様である。
・濃縮室用枠体；図５に示されるものを使用した。濃縮室用枠体５ａの外縁の寸法は縦７３０×横６１０×厚み１ｍｍであり、窓状の開口の形状は縦５２０×横５００×厚み１ｍｍに一方の被処理水連通孔に接続する流路５５ａと濃縮室連通孔に接続する流路５６ａがつながる横変形Ｓ字形状である。なお、窓状の開口は全面にメッシュ状物８が設置されている。
【００２８】
・イオン交換膜；陽イオン交換膜、陰イオン交換膜共に縦５６０×横５５０×厚み０．３ｍｍの矩形状である。枠体へは両面テープにより固定している。
・フィルム状膜包囲スペーサー；外縁の寸法は縦７３０×横６１０×厚み０．３ｍｍであり、内縁の寸法は縦５６０×横５５０×厚み０．３ｍｍのポリエチレンフィルム軟質（新神戸電機社製）である。
・イオン交換体；アニオン交換樹脂とカチオン交換樹脂を１：１の割合で混合したものを脱塩室のみに充填した。
【００２９】
・組み付け方法；交互に配設される複数枚の陽イオン交換膜と陰イオン交換膜の間に、窓状の開口を有する枠体を介在させて濃縮室と脱塩室を交互に３０枚積層した。次いで積層物の周囲を２０本のボルトで最終締め付け力１３２Ｎｍで均一に締め付けた。なお、ボルト孔は押さえ板の端から１５ｍｍ内側の位置にある。
・被処理水の通水；河川水を逆浸透膜で処理したものを被処理水連通孔から脱塩室と濃縮室へ導入した。
・運転条件；供給水量５．５ｍ3/ｈ、脱塩水量５．０ｍ3/ｈ、濃縮水量０．５ｍ3/ｈにおいて、直流電源２．５Ａを印加し通水した。
【実施例２】
【００３０】
図３の脱塩室構造に代えて図４の脱塩室構造としたこと及び下記仕様としたこと以外は、実施例１と同様の方法で行った。すなわち、実施例１で使用した電気式脱イオン水製造装置の脱塩室を形成する枠体と濃縮室を形成する枠体の間に、更にもう一つの小脱塩室（第２小脱塩室）を形成する枠体を設け、被処理水を第１小脱塩室に流入し、第１小脱塩室の流出水を第２小脱塩室の流入水とし、第２小脱塩室の流出水を脱イオン水としたものである。なお、図４中の中間イオン交換膜４３ａは、第１小枠体４１ａ及び第２小枠体４２ａの外縁の寸法より小さく且つ連通孔を回避する矩形状物とし、中間イオン交換膜４３ａの外側にフィルム状膜包囲スペーサーを配設するようにした。その結果、安定して比抵抗値が１５ＭΩｃｍ以上の脱イオン水が得られることを確認すると共に、連続運転中、積層した枠体間などからの水漏れも起こらないことを確認した。
【００３１】
・追加した脱塩室用枠体；外縁の寸法は縦７３０×横６１０×厚み４ｍｍであり、窓状形状は縦５２０×横５００×厚み４ｍｍである。
・イオン交換体；第１小脱塩室にはアニオン交換樹脂を充填し、第２小脱塩室にはアニオン交換樹脂とカチオン交換樹脂の混合イオン交換樹脂（混合割合１：１）を充填した。
・中間イオン交換膜；外縁の寸法は縦５６０×横５５０×厚み０．３ｍｍの矩形状のアニオン交換膜を用いた。
・フィルム状膜包囲スペーサー；外縁の寸法は縦７３０×横６１０×厚み０．３ｍｍであり、内縁の寸法は縦５６０×横５５０×厚み０．３ｍｍのポリエチレンフィルム軟質（新神戸電機社製）である。
【００３２】
比較例１
陰極から１５枚目の脱塩室の陰極側面のフィルム状膜包囲スペーサーの設置を省略し、更に当該部分に設置されるイオン交換膜の寸法縦５６０×横５５０×厚み０．３ｍｍに代えて、イオン交換膜の寸法縦７００×横５５０×厚み０．３ｍｍを使用した以外は、実施例１と同様の方法で行った。なお、イオン交換膜の被処理水連通孔、脱塩水連通孔及び濃縮水連通孔と対向する位置には、当該連通孔と同じ寸法の連通孔をくり抜いて形成した。その結果、処理水は安定して比抵抗１５ＭΩｃｍ以上の水質のものが得られたものの、装置運転後２日目より、フィルム状膜包囲スペーサーを使用しなかった脱塩室と濃縮室の間から、約８０ｍｌ/分の割合で水漏れが発生していることが確認された。
【図面の簡単な説明】
【００３３】
比較例１から明らかなように、脱塩室用枠体と濃縮室用枠体間の最外周に縦３０ｍｍ、横６０ｍｍ幅の帯状の隙間が存在すると水漏れが生じるものの、実施例１及び２に示すように、比較例１より外縁の寸法が小さなイオン交換膜であっても、その外側に枠体の残部となるフィルム状の膜包囲部が存在することで、水漏れを完全に防止することができた。
【図１】第１の実施の形態例の電気式脱イオン水製造装置の一部を省略した簡略側面図である。
【図２】第１の実施の形態例の電気式脱イオン水製造装置の一部の分解斜視図である。
【図３】第１の実施の形態例の電気式脱イオン水製造装置の模式図である。
【図４】第２の実施の形態例の電気式脱イオン水製造装置の模式図である。
【図５】本例の電気式脱イオン水製造装置で用いる濃縮室を形成する枠体の概略図である。
【符号の説明】
【００３４】
１    陰極
２    陽極
３    押さえ板
４、４ａ    脱塩室用枠体
５    濃縮室用枠体
６    陽イオン交換膜
７    フィルム状膜包囲スペーサー
８    メッシュ状物
９    陰イオン交換膜
１０、１０ａ    電気式脱イオン水製造装置
４１、５１、７１  窓状の開口
４１ａ          第１小脱塩室
４２ａ          第２小脱塩室
４２、５２、７２    被処理水連通孔
４３、５３、７３    脱塩水連通孔
４３ａ          中間イオン交換膜
４４、５４、７４    濃縮水連通孔
４５    第１流路
４６    第２流路
４７、５７、７７    窓状の開口の包囲部
５２    被処理水連通孔
４１１    脱塩室
５１１    濃縮室
【図１】
2006218382.tif 000003
【図２】
2006218382.tif 000004
【図３】
2006218382.tif 000005
【図４】
2006218382.tif 000006
【図５】
2006218382.tif 000007